(57)【特許請求の範囲】
【請求項１】
シリンダ状のポンプ本体と、前記ポンプ本体内に往復移動自在に挿入されるピストンと、前記ピストンから上方に延びるステムと、前記ポンプ本体の上端部を閉塞しかつ前記ステムが往復移動自在に挿通されるガイド穴を有するアッパーキャップと、前記ステム上端に接続され、吐出ノズルが連通するエジェクタヘッドと、前記ポンプ本体を容器に装着し保持するコンテナキャップとからなり、前記アッパーキャップの外側面に雄ねじを設けて前記エジェクタヘッドの内周面の雌ねじとねじ嵌合してエジェクタヘッドの押し下げ状態を保持可能としたポンプディスペンサーにおいて、前記アッパーキャップ天面のガイド穴近傍には外面にラチェット歯を有する略円筒状の筒を立設するとともに、前記エジェクタヘッドには前記ラチェット歯を弾性変形しながら乗り越えて前記ラチェット歯の噛合面と噛合する係止片が設けられていることを特徴とするポンプディスペンサー。
【請求項２】
前記エジェクタヘッドに設けられた係止片は、前記アッパーキャップの雄ねじと前記エジェクタヘッドの雌ねじとのねじ嵌合の終端付近で、前記ラチェット歯を乗り越えて噛合することを特徴とする請求項１に記載のポンプディスペンサー。
【請求項３】
前記アッパーキャップのラチェット歯は、前記略円筒状の筒の外面に２つ以上設けられており、時計方向に次第に厚く傾斜状に形成されるとともに噛合面は垂直に中心方向に向かって切れ込んだ形状に形成されていることを特徴とする請求項１または２に記載のポンプディスペンサー。
【請求項４】
前記アッパーキャップのラチェット歯は、前記略円筒状の筒の外面に２つ以上設けられており、少なくとも１つのラチェット歯は、時計方向に次第に厚く傾斜状に形成されるとともに噛合面は垂直に中心方向に向かって切れ込んだ形状に形成されており、他方の少なくとも１つのラチェット歯は、反時計方向に次第に厚く傾斜状に形成されるとともに噛合面は垂直に中心方向に向かって切れ込んだ形状に形成されていることを特徴とする請求項１または２に記載のポンプディスペンサー。
【発明の詳細な説明】
【０００１】
【発明の属する技術分野】
本発明は、容器の開口部に取り付けられ、容器内部の液体内容物を吐出または噴霧するポンプディスペンサーに関し、特に、エジェクタヘッドを押し下げてロック状態としたときに不用意にロック状態が開放されることを防止することができるポンプディスペンサーに関する。
【０００２】
【従来の技術】
従来のこの種のポンプディスペンサーとしては、例えば図４に示すようなポンプディスペンサーが知られている。すなわち、このポンプディスペンサー２００は往復動型のポンプディスペンサーで、内部に往復動自在のピストンを有するシリンダ状のポンプディスペンサー本体２０１と、本体２０１内のピストン（図示しない）に連結されるステム２０２とを備えている。このステム２０２は垂直に直線的に延びており、ポンプディスペンサー本体２０１上端部のアッパーキャップ２０３に設けられたガイド穴２０４に往復動自在に差し通されている。ステム２０２の上端部には、内容物を噴出させるためのノズル部２０６が設けられたエジェクタヘッド２０５が嵌合されている。また、エジェクタヘッド２０５の下方には内面に雌ねじを有するスカート部２０７も設けられている。
【０００３】
スカート部２０７は、ノズル部２０６の上方よりシャワー等により水が降りかかった場合、水がスカート部２０７の外周に当たってアッパーキャップ２０３のガイド穴２０４とステム２０２間の隙間に直接水が降りかかることを防止している。
【０００４】
そして、このポンプ２００を容器に装着する場合は、アッパーキャップ２０３の外側面に設けた雄ねじと、スカート部２０７の内側面に設けた雌ねじとを、アッパーキャップ２０３の下方に設けたれたフランジ２０８の天面にスカート部２０７の下端が接するように螺合した後に、グリッパ等の把持機構でスカート部２０７の外側面を保持し、ノズル２０６の向く位置を合わせながら容器の首部から挿入してポンプディスペンサー本体２０１のフランジを容器の頂面に載置する。その後、本体キャップ２２６のみをキャッピング装置により回転させ、容器首部の外面に設けられた雄ねじと本体キャップ２２６の内面に設けられた雌ねじとを螺合させて装着を完了する。
【０００５】
【発明が解決しようとする課題】
しかしながら上記した従来例では、アッパーキャップ２０３の外側面に設けた雄ねじと、エジェクタヘッド２０５のスカート部２０７内面に設けた雌ねじとを螺合させる際、エジェクタヘッド２０５を回転させるトルクがエジェクタヘッド２０５に強くかかると、スカート部２０７の下端とアッパーキャップ２０３のフランジ２０８が弾性変形によって密着してしまい、エジェクタヘッド２０５を反時計回りに回転させて螺合（ロック状態）を解除しようとしても、解除しにくくなる恐れがあった。
【０００６】
また、エジェクタヘッド２０５を回転させるトルクが弱いと、アッパーキャップ２０３の雄ねじとエジェクタヘッド２０５のスカート部２０７内面の雌ねじとの螺合（ロック状態）が完全な状態にならず、例えば容器に装着された状態で店頭に陳列された時に、不意にロック状態が解除されてしまう可能性もあった。
【０００７】
本発明は上記した従来技術の課題を解決するためになされたものであって、その目的とするところは、ポンプディスペンサー本体にエジェクタヘッドを螺合させて確実にロック状態とすることができ、しかも不用意にノズルが回動してロック状態が解除されることを防止し得るポンプディスペンサーを提供することにある。
【０００８】
【課題を解決するための手段】
上記目的を達成するために、本発明にあっては、シリンダ状のポンプ本体と、ポンプ本体内に往復移動自在に挿入されるピストンと、ピストンから上方に延びるステムと、ポンプ本体の上端部を閉塞しかつステムが往復移動自在に挿通されるガイド穴を有するアッパーキャップと、ステム上端に接続され、吐出ノズルが連通するエジェクタヘッドと、ポンプ本体を容器に装着し保持するコンテナキャップとからなり、アッパーキャップの外側面に雄ねじを設けてエジェクタヘッドの内周面の雌ねじとねじ嵌合してエジェクタヘッドの押し下げ状態を保持可能としたポンプディスペンサーにおいて、アッパーキャップ天面のガイド穴近傍には外面にラチェット歯を有する略円筒状の筒を立設するとともに、エジェクタヘッドにはラチェット歯を乗り越えて弾性変形してラチェット歯の噛合面と噛合する係止片が設けられていることを特徴とする。
【０００９】
さらに、エジェクタヘッドに設けられた係止片は、アッパーキャップの雄ねじとエジェクタヘッドの雌ねじとのねじ嵌合の終端付近で、ラチェット歯を乗り越えて噛合することを特徴とする。
【００１０】
そして、アッパーキャップのラチェット歯は、略円筒状の筒の外面に２つ以上設けられており、時計方向に次第に厚く傾斜状に形成されるとともに噛合面は垂直に中心方向に向かって切れ込んだ形状に形成されていることを特徴とする。
【００１１】
また、アッパーキャップのラチェット歯は、略円筒状の筒の外面に２つ以上設けられており、少なくとも１つのラチェット歯は、時計方向に次第に厚く傾斜状に形成されるとともに噛合面は垂直に中心方向に向かって切れ込んだ形状に形成されており、他方の少なくとも１つのラチェット歯は、反時計方向に次第に厚く傾斜状に形成されるとともに噛合面は垂直に中心方向に向かって切れ込んだ形状に形成されていることを特徴とする。
【００１２】
【発明の実施の形態】
本発明のポンプディスペンサーでは、ガイド穴を有しステムが往復移動自在に挿通されるアッパーキャップにラチェット歯を設けるとともに、ステムに連通され吐出ノズルを有するエジェクタヘッドに前記ラチェット歯と噛合する係止片を設け、係止片を弾性変形させながらラチェット歯を乗り越えさせて噛合させる。
【００１３】
特に、アッパーキャップとエジェクタヘッドとの螺合が完了してロック状態となる寸前に係止片がラチェット歯を乗り越えるように、ラチェット歯と係止片の位置を予め設定しておくと良い。
【００１４】
上記した手段は、種々の液体吐出用ポンプディスペンサーに設けることが出来るが、特にシャワー等の湯水がステムを伝ってガイド穴からポンプ本体内に浸入することを防止するため、アッパーキャップの外側面に雄ねじが設けられ、エジェクタヘッドのスカート部の内周面に雌ねじが設けられて、互いに螺合可能とされたポンプディスペンサーに好適に用いられる。
【００１５】
また、アッパーキャップ天面のガイド穴近傍に略円筒状の筒を立設し、この円筒の外面に２つ以上のラチェット歯を設けると、１つのラチェット歯を設けた場合に比べてより確実に係止片をラチェット歯に噛合させることができる。特に、ラチェット歯の形状をアッパーキャップの上方から見て時計方向（エジェクタヘッドの螺合方向）に向かって次第に厚くなる傾斜面を有するとともに、係止片と噛合う面を筒の中心方向に向かって切れ込んだ形状に成形すると係止片の弾性変形および乗り越えが確実に行えて良い。
【００１６】
さらに、アッパーキャップ天面のガイド穴近傍に略円筒状の筒を立設し、この円筒の外面に２つ以上のラチェット歯を設け、少なくとも１つのラチェット歯は前記した時計方向に向かって次第に厚くなる傾斜面を有するとともに係止片と噛合う面を筒の中心方向に向かって切れ込んだ形状に成形し、他方の少なくとも１つのラチェット歯は反時計方向に向かって次第に厚くなる傾斜面を有するとともに係止片と噛合う面を筒の中心方向に向かって切れ込んだ形状に成形することもできる。
【００１７】
この場合、時計方向に次第に厚くなる形状を有するラチェット歯により係止片の弾性変形および乗り越えが確実に行える一方、反時計方向に次第に厚くなる形状を有するラチェット歯によりエジェクタヘッドを螺合させる際にエジェクタヘッドに強いトルクがかかっても係止片がこのラチェット歯の噛合面に噛み合って係止するため、エジェクタヘッドの下端がアッパーキャップに喰い込むことが防止できる。
【００１８】
【実施例】
以下、第一の実施例について、図面に基づいて説明する。
【００１９】
図１、図２及び図３は本発明の実施例のポンプディスペンサーを示している。
【００２０】
このポンプディスペンサー１は、据置型のシャンプー容器等に用いられるもので、容器（図示しない）の開口部から容器内に挿入され内部に液体を貯留するポンプ室を備えたシリンダ状のポンプ本体２と、ポンプ本体２の上端開口部を閉塞するアッパーキャップ３と、ポンプ本体２内に往復動自在に挿入されポンプ室の容積を拡張、収縮させる可動部材としてのピストン４と、アッパーキャップ３に設けられたガイド穴５に往復動自在に挿入され上記ピストン４を操作するためのステム６と、このステム６の上端に接続されて吐出ノズル８とスカート部９とを備えたエジェクタヘッド７と、ポンプ本体２と容器内とを連通する吸入通路１０と、ポンプ本体２とエジェクタヘッド７の吐出ノズル８を連通する吐出通路１２と、吸入通路１０に設けられる吸入弁１１と、吐出通路１２に設けられる吐出弁１３と、前記ピストン３を常時ポンプ室の容積を拡張させる方向に付勢するばね部材１４と、を備えている。
【００２１】
ポンプ本体２は、その底壁に吸入弁１１が設けられ上端が開口する円筒状部材で、上端部に半径方向外方に向かって張り出すフランジ１５が設けられ、このフランジ１５が容器首部の頂面にガスケット１６を介して載置されている。また、ポンプ本体２のフランジ１５の付け根より筒部が立設され、アッパーキャップ３の内面と密接に係合されている。
【００２２】
アッパーキャップ３は、小径筒部３ａと大径筒部３ｂを備えており、小径筒部３ａの側面にはエジェクタヘッド７のスカート部９内面に設けられた雌ねじ１８と螺合可能な雄ねじ１７が設けられている。また、小径筒部３ａの天面にはステム６が挿通可能なガイド穴５が設けられ、このガイド穴５の近傍からはガイド穴５を囲むように略円筒状の筒１９が立設されている。
【００２３】
コンテナキャップ２６は、内面に容器の首部と螺合可能なねじが設けられた円筒部２０と円筒部２０の上面から内方に向かって張り出すフランジ部２１とが一体に成形されている。
【００２４】
そして、ポンプディスペンサー１を容器に装着する場合、最初にポンプ本体を組み付け、次いでアッパーキャップ３の外面に設けられた雄ねじ１７とエジェクタヘッド７のスカート部９の内面に設けられた雌ねじとを螺合し、この螺合状態（ロック状態）のディスペンサーをグリッパ等の把持機構で把持しながら容器内に挿入する。この時、フランジ１５がガスケット１６を介して容器首部の頂面に載置され、コンテナキャップ２６を回転させて円筒部２０内面に設けたれたねじと容器首部のねじとを螺合させて装着が完了する。
【００２５】
図１に示される実施例では、ロック状態のポンプディスペンサー１が容器に装着された状態が示されている。
【００２６】
この時、図２に示されるとおり、アッパーキャップ３の小径筒部３ａの側面には、図３に示すエジェクタヘッド７のスカート部９内面の雌ねじ１８と螺合可能な雄ねじ１７が設けられている。この雄ねじ１７は、アッパーキャップ３の側面に互いに干渉しない２本のねじ山１７ａ、１７ｂからなり、それぞれの始端１７ｃ、１７ｄはアッパーキャップ３の中心点を基準として約１８０°離間した位置に配置されており、アッパーキャップ３の側面の約１８０°の範囲でそれぞれのねじ山１７ｃ、１７ｄを形成している。
【００２７】
また、アッパーキャップ３の天面にはガイド穴５が設けられており、このガイド穴５の近傍にはガイド穴５を囲むように筒１９が立設されている。そして、この筒１９の側面には、同一の回転方向（時計回転方向）に向って次第に厚くなるように形成され、その後中心方向に向かって垂直に切れ込んだ形状となるラチェット歯２２が、アッパーキャップ５の中心点を基準としてほぼ略１８０°離れた位置に２つ設けられている。また、２つのラチェット歯２２，２２は、２つのねじ山１７ａ、１７ｂの始端１７ｃ、１７ｄよりほぼ等間隔離れた位置にそれぞれ設けられている。
【００２８】
図３で示されるとおり、エジェクタヘッド７は、ステム６に連通して内容液が吐出可能なノズル８を有しており、また頂面外側からは内面下部に雌ねじ１８が形成されたスカート部９が垂設されており、また、頂面の中心付近にはステム嵌合筒２３が垂設され、この嵌合筒２３とリブで連接された環状筒２４も頂面から垂設されている。この環状筒２４の下端は、雌ねじ１８の終端と高さがほぼ一致しており、また環状筒２４の下部にはアッパーキャップ３天面の筒１９に設けられたラチェット歯２２に対して弾性変形しながら乗り越えることが可能な係止片２５が設けられている。
【００２９】
通常、アッパーキャップ３の雄ねじ１７とエジェクタヘッド７のスカート部９の雌ねじ１８との螺合は雄ねじの始端１７ｃ、１７ｄが雌ねじ１８の終端近くまで進むとスカート部９の下端または環状筒２４の下端がアッパーキャップ３の小径筒部３ａまたは大径筒部３ｂの天面に接して螺合が完了するが、本実施例のポンプディスペンサー１では、環状筒２４の下部に設けられた係止片２５が螺合の完了近くになるとラチェット歯２２に接し、さらに螺合を進行させるキャッピング装置からのトルクを受けてラチェット歯２２に対して弾性変形しながら時計回転方向に乗り越える。
【００３０】
そして、ラチェット歯２２を乗り越えると、係止片２５は元の状態に復元する。この時、アッパーキャップ３とエジェクタヘッド７との螺合を進行させるキャッピング装置にトルクリミッタを配置しておくと、係止片２５がラチェット歯２２を乗り越える際のトルク対抗力を感知して螺合（キャッピング）を確実に停止させることができる。
【００３１】
また、係止片２５がラチェット歯２２を乗り越えた後は、係止片２５の側面とラチェット歯２２の中心方向へ垂直に切れ込む噛合面とが面接触するため、例えばポンプディスペンサーがロック状態にある時に、不意にエジェクタヘッドにロック状態を解除する力（開栓トルク）がかかっても、係止片２５とラチェット歯２２の噛合面が噛み合うって開栓が阻止されるため、不用意にロック状態が解除されることがない。ロック状態を解除するためには、人指でしっかりとエジェクタヘッドを回転することにより開栓トルクをかけて、係止片２５を反時計回転方向に弾性変形させてラチェット歯２２を乗り越えさせてロック状態を解除する。
【００３２】
また、第二の実施例では、上記した第一の実施例と同形状のラチェット歯を用いるとともに、第一実施例のラチェット歯と逆の形状、すなわちアッパーキャップの上方から見て反時計回転方向に次第に厚くなり時計回転方向に向かって噛合面を有する形状のラチェット歯を設けることもできる。この場合、第一実施例で示したラチェット歯を係止片が乗り越える際のトルク対抗力が何らかの理由で感知されなくても、係止片がこの噛合面と噛み合って螺合を進行させるトルクに対する対抗力が発生し、過剰なトルクがエジェクタヘッドへかかることが防止できる。
【００３３】
【発明の効果】
以上説明したように、本発明によれば、液体吐出用のポンプディスペンサーのアッパーキャップ小径筒部天面に円筒を立設し、この筒の外側面にラチェット歯を設けるとともに、このアッパーキャップと螺合してロック状態となるエジェクタヘッドの頂面から係止片を有する嵌合筒を垂設してラチェット歯と係止片とを噛み合い可能にしたので、アッパーキャップとエジェクタヘッドを螺合させるキャッピングトルクを小さくしても、ロック状態を確実に確認することができ、また、ロック状態を解除する際にはある程度の強い開栓トルクが必要となり、不用意に開栓してロック状態が解除されることを防止できる。
【図面の簡単な説明】
【図１】図１は本発明の第一実施例に係るポンプディスペンサーのロック状態における縦断面図である。
【図２】図２は図１のポンプディスペンサーのアッパーキャップであり、同図（ａ）は側面図、同図（ｂ）は上面図である。
【図３】図３は図１のポンプディスペンサーのエジェクタヘッドであり、同図（ａ）は断面図、同図（ｂ）は底面図である。
【図４】図４は従来のポンプディスペンサーのロック状態における縦断面図である。
【符号の説明】
１    ポンプディスペンサー
２    ポンプ本体
３    アッパーキャップ
４    ピストン
５    ガイド穴
６    ステム
７    エジェクタヘッド
８    吐出ノズル
９    スカート部
１０  吸入通路
１１  吸入弁
１２  吐出通路
１３  吐出弁
１４  ばね部材
１５  フランジ
１６  ガスケット
１７  雄ねじ
１８  雌ねじ
１９  筒
２０  円筒部
２１  フランジ部
２２  ラチェット歯
２３  ステム嵌合筒
２４  環状筒
２５  係止片
２６  コンテナキャップ
【図１】
0003632550.tif 000002
【図２】
0003632550.tif 000003
【図３】
0003632550.tif 000004
【図４】
0003632550.tif 000005